(57)【要約】【課題】材料費の削減が図れると同時にクリックバネの確実な位置決め・固定が行える回転式電子部品のクリック機構を提供すること。【解決手段】ケース１０と、ケース１０の収納部１３内に回転自在に収納される回転体５０と、アーム部７１に設けた弾接部７３を回転体５０に設けたクリック係合部６１に係合することでクリック感覚を生じさせるクリックバネ７０と、ケース１０の収納部１３を覆うカバー１００とを具備する。クリックバネ７０は円弧状のアーム部７１の根元部分に取付部７５を連結したリング形状に形成されている。アーム部７１は収納部１３内に収納される外径寸法であり、取付部７５はアーム部７１の外周から水平方向外方に向けて突出している。ケース１０の外周側壁１７，２１上に設けたクリックバネ係止部２４内に取付部７５を挿入・位置決めした上で、この取付部７５をケース１０とカバー１００の間に挟持して固定する。【選択図】図１
2012113985.tif 000002
【特許請求の範囲】
【請求項１】
収納部を有するケースと、
前記ケースの収納部内に回転自在に収納される回転体と、
前記回転体上に設置され、弾性を有するアーム部に設けた弾接部を前記回転体に設けたクリック係合部に係合することでクリック感覚を生じさせるクリックバネと、
前記クリックバネ上に設置されてケースの収納部を覆うカバーと、を具備し、
前記クリックバネは円弧状のアーム部の根元部分に取付部を連結したリング形状又は円弧形状に形成され、前記アーム部は前記収納部内に収納される外径寸法であり、且つ前記取付部は前記アーム部の外周から水平方向外方に向けて突出し、前記ケースの収納部の周囲に形成した外周側壁上に設けた凹部からなるクリックバネ係止部に前記取付部を挿入・位置決めした上で、この取付部を前記ケースとカバーの間に挟持固定したことを特徴とする回転式電子部品のクリック機構。
【請求項２】
請求項１に記載の回転式電子部品のクリック機構において、
前記ケースのクリックバネ係止部の底面にはクリックバネの取付部を前記ケースとカバーの間に挟持した際に変形することで取付部の厚み寸法の相違を吸収する挟持用突部が設けられていることを特徴とする回転式電子部品のクリック機構。
【請求項３】
請求項１又は２に記載の回転式電子部品のクリック機構において、
前記クリックバネの取付部には、カバーに向けて折り曲げられた係止爪が設けられており、この係止爪を前記カバーに設けた係止孔に挿入・係止してクリックバネの位置決めを行うことを特徴とする回転式電子部品のクリック機構。
【請求項４】
請求項１又は２又は３に記載の回転式電子部品のクリック機構において、
前記クリックバネは、一対の円弧状のアーム部の根元部分を一対の取付部によって連結したリング形状に形成されていることを特徴とする回転式電子部品のクリック機構。
【発明の詳細な説明】
【技術分野】
【０００１】
本発明は、回転式電子部品に用いられるクリック機構に関するものである。
【背景技術】
【０００２】
従来、例えば特許文献１の図２に記載されているように、クリック機能付きの回転式電子部品は、スイッチ基板（６０）の収納部内に、つまみ（３０）の回転型物（３１）を回転自在に収納し、その上にクリックバネ部材（２０）を設置し、さらにその上をカバー（１０）で覆って構成されている。クリックバネ部材（２０）は、枠状の固定部（２１）の内部にリング状のクリックバネ（２２）を形成して構成されており、クリックバネ（２２）の部分に設けた弾接部（２４）を回転型物（３１）に設けた凹凸部（３５）に弾接させ、つまみ（３０）を回転することでクリック感覚が得られるようにしている。またクリックバネ部材（２０）の固定部（２１）は、スイッチ基板（６０）の上面とカバー（１０）の間に挟持されて固定されている。
【先行技術文献】
【特許文献】
【０００３】
【特許文献１】特開２００５−７８８４４号公報
【発明の概要】
【発明が解決しようとする課題】
【０００４】
しかしながら上記従来のクリックバネ部材（２０）は、リング状のクリックバネ（２２）の周囲を枠状の固定部（２１）が囲む形状なので、その面積が大きく、材料費のコストダウンが図れなかった。一方材料費を削減するために固定部（２１）を省略すると、クリックバネ部材（２０）の確実な位置決め・固定が困難になる。
【０００５】
つまみ（３０）の回転時に生じるクリック感覚（その強弱）を変更するため、クリックバネ部材（２０）の厚みを変更してクリックバネ（２２）の弾接部（２４）の弾発力を変更する場合があるが、その場合、変更した厚み分だけ、回転式電子部品の高さ寸法が変化してしまう。そしてクリックバネ部材（２０）の厚みを薄くした場合、この電子部品の足（１５）を硬質の回路基板に設けた取付孔に差し込むと足（１５）の先端近傍に設けた折り曲げ部分と回路基板の裏面との間に隙間が生じてガタツキが出てしまう。またクリックバネ部材（２０）の厚みを厚くした場合、回路基板の取付孔の内部に足（１５）の折り曲げ部分が当接してしまうため回路基板にしっかり差し込めないという不都合が生じる。さらに予め設定した厚みのクリックバネ部材（２０）に合わせてスイッチ基板（６０）とカバー（１０）間を固定するようにカバー（１０）の足（１４）をスイッチ基板（６０）の下面側に折り曲げる設定をしている場合に、例えばクリックバネ部材（２０）の厚みを薄くすると、スイッチ基板（６０）とカバー（１０）間によるクリックバネ部材（２０）の挟持力が小さくなり、場合によってはがたつきが生じる恐れもあった。
【０００６】
本発明は上述の点に鑑みてなされたものでありその目的は、材料費の削減が図れると同時にクリックバネの確実な位置決め・固定が行え、また異なる厚みのクリックバネを確実に挟持・固定できる回転式電子部品のクリック機構を提供することにある。
【課題を解決するための手段】
【０００７】
本願請求項１に記載の発明は、収納部を有するケースと、前記ケースの収納部内に回転自在に収納される回転体と、前記回転体上に設置され、弾性を有するアーム部に設けた弾接部を前記回転体に設けたクリック係合部に係合することでクリック感覚を生じさせるクリックバネと、前記クリックバネ上に設置されてケースの収納部を覆うカバーと、を具備し、前記クリックバネは円弧状のアーム部の根元部分に取付部を連結したリング形状又は円弧形状に形成され、前記アーム部は前記収納部内に収納される外径寸法であり、且つ前記取付部は前記アーム部の外周から水平方向外方に向けて突出し、前記ケースの収納部の周囲に形成した外周側壁上に設けた凹部からなるクリックバネ係止部に前記取付部を挿入・位置決めした上で、この取付部を前記ケースとカバーの間に挟持固定したことを特徴とする回転式電子部品のクリック機構にある。
【０００８】
本願請求項２に記載の発明は、請求項１に記載の回転式電子部品のクリック機構において、前記ケースのクリックバネ係止部の底面にはクリックバネの取付部を前記ケースとカバーの間に挟持した際に変形することで取付部の厚み寸法の相違を吸収する挟持用突部が設けられていることを特徴とする回転式電子部品のクリック機構にある。
【０００９】
本願請求項３に記載の発明は、請求項１又は２に記載の回転式電子部品のクリック機構において、前記クリックバネの取付部には、カバーに向けて折り曲げられた係止爪が設けられており、この係止爪を前記カバーに設けた係止孔に挿入・係止してクリックバネの位置決めを行うことを特徴とする回転式電子部品のクリック機構にある。
【００１０】
本願請求項４に記載の発明は、請求項１又は２又は３に記載の回転式電子部品のクリック機構において、前記クリックバネは、一対の円弧状のアーム部の根元部分を一対の取付部によって連結したリング形状に形成されていることを特徴とする回転式電子部品のクリック機構にある。
【発明の効果】
【００１１】
請求項１に記載の発明によれば、クリックバネは、ケースの収納部内に収納されるアーム部と、アーム部の外周から突出してケースのクリックバネ係止部に挿入・位置決めされる取付部とによって構成されるので、小さな面積でクリックバネを構成でき、材料費の削減が図れる。またクリックバネの取付部をケースのクリックバネ係止部に挿入・位置決めした上で、この取付部をケースとカバーの間に挟持固定するので、クリックバネの位置決め・固定が容易且つ確実に行える。
【００１２】
請求項２に記載の発明によれば、クリックバネの弾発力を変更する等の理由からクリックバネの厚みを変更しても、クリックバネを確実に挟持でき、固定できる。
【００１３】
請求項３に記載の発明によれば、クリックバネの係止爪をカバーの係止孔に挿入・係止するので、クリックバネの位置決めをさらに確実に行うことができる。
【００１４】
請求項４に記載の発明によれば、クリックバネをリング形状に形成し、且つ一対の取付部をケースとカバーの間に挟持固定する構成なので、クリックバネの固定が確実に行える。
【図面の簡単な説明】
【００１５】
【図１】回転式電子部品１の分解斜視図である。
【図２】回転式電子部品１を下側から見た分解斜視図である（但しケース１０及び反転板４５の記載は省略）。
【図３】回転式電子部品１の断面図（図１のＡ−Ａ断面図）である。
【図４】図４はクリックバネ７０の斜視図である。
【図５】図５はクリックバネ係止部２４の部分の要部拡大斜視図である。
【図６】ケース１０の挟持用突部２４１の作用説明図である。
【図７】ケース１０の挟持用突部２４１の作用説明図である。
【図８】ケース１０の挟持用突部２４１の作用説明図である。
【図９】クリックバネ７０−２の斜視図である。
【図１０】クリックバネ７０−３の斜視図である。
【図１１】クリックバネ７０−４の斜視図である。
【発明を実施するための形態】
【００１６】
以下、本発明の実施形態を図面を参照して詳細に説明する。図１は本発明に係るクリック機構を用いた回転式電子部品１の分解斜視図、図２は回転式電子部品１を下側から見た分解斜視図（但しケース１０及び反転板４５の記載は省略）、図３は回転式電子部品１の断面図（図１のＡ−Ａ断面図）である。これらの図に示すように回転式電子部品１は押圧スイッチ付きの回転式電子部品であり、収納部１３を有するケース１０と、ケース１０の収納部１３内に設置される反転板４５と、ケース１０の収納部１３内に回転自在に収納される回転体５０と、回転体５０の下面に取り付けられる摺動子６５と、回転体５０に連結されるツマミ１２０と、回転体５０上に設置されるクリックバネ７０と、クリックバネ７０上に設置されてケース１０の収納部１３を覆うカバー１００とを具備して構成されている。なお以下の説明において、「上」とはケース１０からカバー１００側をみる方向をいい、「下」とはその反対方向をいうものとする。
【００１７】
ケース１０は中央に回転体５０を収納する略円形の凹部からなる収納部１３を有するケース本体１１と、前記収納部１３の内底面にインサート成型によって配置される回路基板（以下「フレキシブル回路基板」という）３０と、ケース本体１１の対向する２つの外周側面からそれぞれ突出する２本と３本の金属板製の端子４０とを具備して構成されている。ケース本体１１は合成樹脂を箱型で上面が解放された形状に成形して構成されており、略矩形状の底面１５と、４つの外周側壁１７，１９，２１，２３とを具備している。外周側壁１７〜２３の上面の対向する角部には一対の小突起状の位置決め係止部２９が設けられている。対向する外周側壁１７，２１の上面中央には下記するクリックバネ７０の取付部７５を挿入・位置決めする凹部からなるクリックバネ係止部２４が形成されている。図５は前記クリックバネ係止部２４の部分の要部拡大斜視図である。同図に示すようにクリックバネ係止部２４は矩形凹状に形成され、その長手方向の長さ寸法は下記するクリックバネ７０の取付部７５の幅寸法とほぼ同一である。またクリックバネ係止部２４の底面には挟持用突部２４１が設けられている。挟持用突部２４１はクリックバネ係止部２４の底面の長手方向全長にわたって形成されている。挟持用突部２４１の横断面は三角形状であり、その先端を細くした形状とすることで、この上に設置される下記するクリックバネ７０の取付部７５をさらにその上に設置するカバー１００で押し付けることで挟持した際に前記先端部分が変形（弾性変形又は塑性変形）して少し潰れるように構成している。
【００１８】
フレキシブル回路基板３０は可撓性を有する合成樹脂フイルム（この実施形態ではポリエチレンテレフタレートフイルム）を略矩形状であって前記ケース本体１１の底面１５の内部に内蔵される寸法に形成して構成されている。フレキシブル回路基板３０の上面中央には押圧スイッチ用スイッチパターン３１が形成され、またその周囲を囲むように回転スイッチ用スイッチパターン３３が形成されている。これら両スイッチパターン３１，３３の間を仕切る位置には、フレキシブル回路基板３０の上面上に突出するリング形状の突起部２５が形成されており、この突起部２５の内側の凹部が反転板収納部２７を構成している。突起部２５はフレキシブル回路基板３０に形成した図示しない小孔を介して底面１５と連結されている。
【００１９】
端子４０はフレキシブル回路基板３０の上面の外周辺近傍部分に設けた図示しない端子接続パターン上にその一端を当接し、その上下をケース本体１１によって挟持することで固定されている。一方の外周側面２１から突出する２本の端子４０は前記押圧スイッチ用スイッチパターン３１に電気的に接続されており、他方の外周側面１７から突出する３本の端子４０は前記回転スイッチ用スイッチパターン３３に電気的に接続されている。反転板４５は弾性金属板を上方向に凸となるドーム形状に形成して構成されている。
【００２０】
回転体５０は合成樹脂を略円板状に一体成形して構成されており、その上面中央から円柱状の軸部５１を突出している。軸部５１の内部には軸部５１を上下に貫通するつまみ取付孔５３が形成されている。つまみ取付孔５３の形状は、円の１８０°対向する部分から矩形状に突出する突出部分５４，５４を設けた形状であり、その下面には前記突出部分５４が突出する方向に対して９０°回転した方向に向かう直線状の一対の溝部５５が形成されている。回転体５０の下面はリング形状の摺動子取付面５７となっており、３つの小突起からなる摺動子取付部５９が設けられている。また回転体５０の上面の前記軸部５１の周囲を囲む位置には、リング状の凹凸からなるクリック係合部６１が形成されている。
【００２１】
摺動子６５は弾性金属板をリング形状に形成し、その３か所に摺接部６７を設け、また各摺接部６７の根元部分に小孔からなる取付部６９を設けて構成されている。
【００２２】
図４はクリックバネ７０を拡大して示す斜視図である。同図に示すようにクリックバネ７０は弾性金属板製であり、一対の弾性を有する円弧状のアーム部７１，７１の根元部分を一対の取付部７５，７５によって連結したリング形状に形成されている。各アーム部７１の中央には下方向に突出するように湾曲する弾接部７３が設けられている。各取付部７５は略矩形状であってアーム部７１の外周から水平方向外方に向けて突出しており、その内部には矩形状の小孔７７が設けられ、小孔７７内に突出する係止爪７９をカバー１００に向けて略垂直上方を向くように折り曲げている。両アーム部７１はそれらの両端部が接続されている取付部７５の面から斜め下方に向けて下降するようにその根元部分が折り曲げられている。
【００２３】
カバー１００は金属板製であり、前記ケース１０の収納部１３を覆う略矩形形状のカバー本体部１０１と、カバー本体部１０１の対向する一対の辺からそれぞれ下方に折り曲げてなる２本ずつのケース係止部１０３及び１本ずつの取付部１０５とを有して構成されている。カバー本体部１０１の中央には上方向に突出する筒状の軸支部１０７が設けられ、カバー本体部１０１の対向する２つの角部近傍には前記ケース１０の位置決め係止部２９を挿入する小孔からなる係止部１０９が設けられている。またケース本体部１０１の前記クリックバネ７０の２つの係止爪７９に対向する位置にはそれぞれ係止爪７９を略ぴったり挿入して係止する小孔からなる係止孔１１１が設けられている。
【００２４】
ツマミ１２０は合成樹脂を略円柱状であって前記カバー１００の軸支部１０７内に回動自在に挿入される寸法に成形して構成されており、その下面から小径の円柱状の突起部１２１を突出し、突起部１２１の下端近傍の外周から１８０°異なる方向に向けて略矩形状の係止部１２３を突出している。一対の係止部１２３は前記回転体５０のつまみ取付孔５３の一対の突出部分５４にぴったり挿入でき、且つ係止部１２３の上部の部分は前記溝部５５にぴったり挿入できる寸法形状に形成されている。突起部１２１の下端面は球面状に突出する押圧部１２５となっている。
【００２５】
回転式電子部品１を組み立てるには、予め回転体５０の摺動子取付面５７に摺動子６５を設置し、その際回転体５０の摺動子取付部５９を摺動子６５の取付部６９に挿入し、各摺動子取付部５９の先端を熱かしめし、これによって摺動子６５を回転体５０に固定しておく。一方回転体５０のつまみ取付孔５３にその上側からツマミ１２０の突起部１２１を挿入し、その先端の係止部１２３全体を回転体５０の突出部分５４の下側に突出させ、その状態で（係止部１２３全体が突出部分５４の下側に露出している状態で）ツマミ１２０を９０°回転し、ツマミ１２０を上方に持ち上げて前記係止部１２３の上面側部分を回転体５０の溝部５５内に係合しておく。
【００２６】
そしてケース１０の反転板収納部２７内に反転板４５を収納する。この反転板４５とフレキシブル回路基板３０の押圧スイッチ用スイッチパターン３１とによって押圧スイッチの基本構造が構成される。
【００２７】
次にケース１０の収納部１３内に前記摺動子６５及びツマミ１２０を取り付けた回転体５０を挿入する。このとき摺動子６５の各摺接部６７が回転スイッチ用スイッチパターン３３上に当接する。この摺動子６５と回転スイッチ用スイッチパターン３３とによって回転スイッチ（回転式電子部品）の基本構造が構成される。
【００２８】
次に前記回転体５０の上にクリックバネ７０を載置する。このときクリックバネ７０の両取付部７５はそれぞれケース１０のクリックバネ係止部２４内に収納され位置決めされる。同時にクリックバネ７０の弾接部７３は回転体５０のクリック係合部６１に弾接している。
【００２９】
次に前記クリックバネ７０の上にカバー１００を被せ、その際カバー１００の軸支部１０７内にツマミ１２０と回転体５０の軸部５１とを挿入し、同時にカバー１００の係止部１０９にケース１０の位置決め係止部２９を挿入し、同時にカバー１００の係止孔１１１にクリックバネ７０の係止爪７９を挿入・係止してクリックバネ７０の位置決めを行う。そしてカバー１００のケース係止部１０３をケース１０の底面側に折り曲げて一体化する。これによって回転式電子部品１が完成する。なお上記組立手順はその一例であり、他の各種異なる組立手順を用いて組み立てても良いことはいうまでもない。
【００３０】
ここでケース１０の挟持用突部２４１の作用について説明する。図７に示すように、クリックバネ７０の取付部７５をケース１０のクリックバネ係止部２４内に収納した際、取付部７５は挟持用突部２４１上に載置される。このとき取付部７５はその全体がクリックバネ係止部２４内に収納されるのではなく、厚み方向の一部がクリックバネ係止部２４の上方に露出する。言い換えれば取付部７５の厚み方向の一部（上部）がクリックバネ係止部２４の上方に露出するように各部材の寸法を設定している。そしてケース１０の上にカバー１００を載置して図６に示すようにカバー１００をケース１０に押し付けるように取り付ければ、取付部７５は、カバー１００と挟持用突部２４１によって挟持され、その際の挟持力によって挟持用突部２４１（特にその先端近傍部分）が変形し、これによってカバー１００の下面はケース１０の外周側壁１７〜２３の上面に当接する（または接近して位置する）。つまり挟持用突部２４１はこれが変形することでケース１０の外周側壁１７〜２３の上面から突出する取付部７５の厚み分を吸収する。
【００３１】
一方クリックバネ７０の弾発力を変更する等の理由からクリックバネ７０の厚みを変更した場合（例えば薄くした場合）、図８に示すように取付部７５の厚みも薄くなる。しかしながらこの場合も、取付部７５の厚み方向の一部（上部）がクリックバネ係止部２４の上方に露出するので、前記と同様に、挟持用突部２４１が変形することでクリックバネ７０を確実に挟持でき、固定できる。クリックバネ７０の厚みを厚くした場合も同様である。即ちクリックバネ７０の厚みを変更しても、クリックバネ係止部２４の上方に突出する寸法が異なるだけであり、その突出した部分の寸法は挟持用突部２４１が異なる変形を行うことで吸収でき、クリックバネ７０を確実に挟持固定できる上に、ケース１０とカバー１００間の高さ寸法は同一を保てる。
【００３２】
次に回転式電子部品１の動作を説明する。即ちツマミ１２０を回転すると、これと一体に回転体５０及び摺動子６５が回転し、摺動子６５の摺接部６７が回転スイッチ用スイッチパターン３３上を摺動し、その出力が変化する。出力は同一方向に突出した３本の端子４０から取り出される。このとき同時にクリックバネ７０の弾接部７３が回転する回転体５０のクリック係合部６１に弾接することでクリック感覚が生じる。一方ツマミ１２０を真下方向に向けて押圧すると、回転体５０は元の位置のまま、ツマミ１２０のみが下降してその押圧部１２５が反転板４５を押圧反転し、これによって押圧スイッチ用スイッチパターン３１を構成する２つのスイッチパターン間が電気的に接続されてオンする。出力は同一方向に突出した２本の端子４０から取り出される。このときツマミ１２０と共にツマミ１２０の係止部１２３も下降するが、係止部１２３が下降した位置でも回転体５０の溝部５５から外れないように各部の寸法を設定しているので、回転体５０に対してツマミ１２０だけが回転することはない。そしてツマミ１２０への押圧を解除すると、反転板４５の弾性復元力によって反転板４５は元の形状に自動復帰し、これによって押圧スイッチはオフし、同時にツマミ１２０は押し上げられて元の位置に自動復帰する。
【００３３】
以上説明したように回転式電子部品１によれば、クリックバネ７０を、ケース１０の収納部１３内に収納されるアーム部７１と、アーム部７１の外周から突出してケース１０のクリックバネ係止部２４に挿入・位置決めされる取付部７５とによって構成したので、小さな面積でクリックバネ７０を構成でき、材料費の削減が図れる。またクリックバネ７０の取付部７５をケース１０のクリックバネ係止部２４に挿入・位置決めした上で、この取付部７５をケース１０とカバー１００の間に挟持固定するので、クリックバネ７０の位置決め・固定が容易且つ確実に行える。このようにクリックバネ７０の取付部７５をケース１０のクリックバネ係止部２４に挿入することで、クリックバネ７０の回転方向への位置決めは確実に行えるが、半径方向への位置決めは必ずしも確実とはいえない。このためこの回転式電子部品１においては、クリックバネ７０の係止爪７９をカバー１００の係止孔１１１に挿入・係止する構成とし、これによってクリックバネ７０の回転方向と半径方向の両方向の位置決めを確実にしている。
【００３４】
またケース１０のクリックバネ係止部２４の底面にクリックバネ７０の取付部７５を挟持した際に変形することで取付部７５の厚み寸法の相違を吸収する挟持用突部２４１を設けたので、クリックバネ７０の弾発力を変更する等の理由からクリックバネ７０の厚みを変更しても、クリックバネ７０を確実に挟持でき、固定できる。その際、ケース１０とカバー１００間の高さ寸法は変わらない。さらにこの回転式電子部品１のクリックバネ７０のように、クリックバネ７０を一対の円弧状のアーム部７１の根元部分を一対の取付部７５によって連結したリング形状に形成し、且つ一対の取付部７５をケース１０とカバー１００の間に挟持固定する構成とすれば、クリックバネ７０の固定がさらに確実に行える。
【００３５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記回転式電子部品１においては、クリックバネ７０を一対のアーム部７１と一対の取付部７５によってリング状に形成し、且つ各アーム部７１に弾接部７３を設けたが、例えば図９に示すように弾接部７３を一方のアーム部７１だけに設けてクリックバネ７０−２を構成しても良く、また図１０に示すように一方のアーム部７１を省略して１つのアーム部７１と２つの取付部７５でクリックバネ７０―３を構成しても良く、また図１１に示すように一方の取付部７５を省略して円弧状の２つのアーム部７１と１つの取付部７５によってクリックバネ７０―４を構成しても良い。また図９に示す弾接部７３を設けていないアーム部７１を点線で示すように円弧状以外の形状（この例では直線状）に形成しても良い。つまりクリックバネは、円弧状のアーム部７１の根元部分に取付部７５を連結したリング形状又は円弧形状に形成されていればよい。
【００３６】
また上記回転式電子部品１は押圧スイッチ付きの回転式電子部品であるが、押圧スイッチを省略した回転式電子部品に対しても本発明を適用できることは言うまでもない。この場合、回転体５０とツマミ１２０は一体に構成し、押圧スイッチを構成する各構成部分は省略する。また上記回転式電子部品１は回転式スイッチであるが、パターンの変更等によって回転式可変抵抗器として構成しても良い。
【００３７】
また挟持用突部２４１の形状・構造も種々の変更が可能であり、例えばクリックバネ係止部２４の底面の長手方向全長にわたって形成しなくても良く、また例えば１又は複数個の点状に突出する形状や、１又は複数個のかまぼこ状に突出する形状等でも良く、種々の変形が可能である。また挟持用突部２４１は上記実施形態ではケース１０と一体成形されているが、挟持用突部２４１のみをラバー等で別部品として作成し、これをクリックバネ係止部２４の底面に取り付けても良い。要はケース１０のクリックバネ係止部２４の底面にクリックバネ７０の取付部７５をケース１０とカバー１００の間に挟持した際に変形することで取付部７５の厚み寸法の相違を吸収する構成であれば、どのような構成であっても良い。
【符号の説明】
【００３８】
１  回転式電子部品
１０  ケース
１３  収納部
１７，１９，２１，２３  外周側壁
２４  クリックバネ係止部
２４１  挟持用突部
４５  反転板
５０  回転体
６１  クリック係合部
６５  摺動子
７０  クリックバネ
７１  アーム部
７３  弾接部
７５  取付部
７９  係止爪
１００  カバー
１１１  係止孔
１２０  ツマミ
【図１】
2012113985.tif 000003
【図２】
2012113985.tif 000004
【図３】
2012113985.tif 000005
【図４】
2012113985.tif 000006
【図５】
2012113985.tif 000007
【図６】
2012113985.tif 000008
【図７】
2012113985.tif 000009
【図８】
2012113985.tif 000010
【図９】
2012113985.tif 000011
【図１０】
2012113985.tif 000012
【図１１】
2012113985.tif 000013